(57)【要約】【課題】使用前にはその香気により気分転換やリラックス感を付与し、その使用中には着用していることを気付かれることなく、更には、使用後廃棄する際、体液に起因して発生する臭気を、その賦香された包装シートでマスキングし得る吸収性物品の個装体を提供すること。【解決手段】吸収性物品の個装体３０は、粘着部２１を有する吸収性物品２０と、該粘着部２１を被覆する剥離シート４０と、該粘着部２１が該剥離シート４０に被覆された状態の該吸収性物品２０を包装している包装シート１０とを有する。剥離シート４０は賦香されている。剥離シート４０は、特に外面が賦香されていることが好ましく、更には剥離シート４０と包装シート１０を固定する接着剤を避けて賦香されていることが好ましい。【選択図】図４
2007252886.tif 000002
【特許請求の範囲】
【請求項１】
粘着部を有する吸収性物品と、該粘着部を被覆する剥離シートと、該粘着部が該剥離シートに被覆された状態の該吸収性物品を包装している包装シートとを有する吸収性物品の個装体であって、
前記剥離シートが賦香されていることを特徴とする吸収性物品の個装体。
【請求項２】
前記剥離シートにおける、前記粘着部を被覆する面とは反対側の面側が賦香されている請求項１記載の吸収性物品の個装体。
【請求項３】
前記剥離シートと前記包装シートとが部分的に接合されており、該剥離シートにおける、該包装シートと接合されていない部位が賦香されている請求項１又は２記載の吸収性物品の個装体。
【請求項４】
前記包装シートは通気性を有する繊維材料からなる請求項３記載の個装体。
【請求項５】
粘着部を有する吸収性物品と、該粘着部を被覆する剥離シートと、該粘着部が該剥離シートに被覆された状態の該吸収性物品を包装している包装シートとを有する吸収性物品の個装体における該剥離シートに香料を塗布し、賦香剥離シートを製造する方法であって、
互いに反対方向に回転する一対のロールにおける一方のロールの周面に、該ロールの円周方向に沿う線状となるように香料を付着させた状態下に、ロール間に前記剥離シートを通過させ、該ロールの周面に線状に付着した香料を、該剥離シートに転写させる賦香剥離シートの製造方法。
【請求項６】
粘着部を有する吸収性物品と、該粘着部を被覆する剥離シートと、該粘着部が該剥離シートに被覆された状態の該吸収性物品を包装している包装シートとを有する吸収性物品の個装体における該剥離シートに香料を塗布し、賦香剥離シートを製造する装置であって、
互いに反対方向に回転可能な一対のロールと、一対の該ロールのうちの一方のロールに接触して又は近接して配置された吐出部とを備え、該吐出部は、一方の該ロールの周面へ香料を連続的に吐出することが可能になっている賦香剥離シート製造装置。
【発明の詳細な説明】
【技術分野】
【０００１】
本発明は、吸収性物品が包装シートを用いて個別に包装されてなる吸収性物品の個装体に関する。
【背景技術】
【０００２】
生理用ナプキン等の吸収性物品を賦香して、その香気によって気分転換やリラックス感を図り、また使用済みの吸収性物品から生じる臭いをマスキングする技術が知られている。例えば、水分活性化封入香料、ゼオライト等の臭気抑制物質、吸収ゲル化物質等の液体吸収物質を含む組成物を有する吸収性物品が提案されている（特許文献１参照）。この吸収性物品は、体液から生じる臭気を最小にし、臭気が除去されたことを知らせる快い香気シグナルを使用時に発生させるものである。水分活性化封入香料は、水に膨潤したときに香料を放出するものであり、その具体例としては、シクロデキストリン、香料包装複合体、マトリックス香料マイクロカプセルなどが挙げられている。
【０００３】
また、吸収性物品の裏面シート外面に施されている下着固定用の粘着剤中に、マイクロカプセル等の香料充填放出剤を含ませておき、吸収性物品の使用時、使用中、廃棄時に香気が放出されるようにした吸収性物品も提案されている（特許文献２参照）。
【０００４】
【特許文献１】特表平８−５０８４２３号公報
【特許文献２】特表平１１−５０６６９０号公報
【発明の開示】
【発明が解決しようとする課題】
【０００５】
前述の各吸収性物品においては、物品そのものが賦香されているので、物品の使用中にわたり香気が放出される。したがって、体液に起因して発生する臭気が最も気になる場面である使用後の廃棄時には、香気が弱くなってしまい臭気を十分にマスキングできない。
また、香料の種類によっては、物品に含まれている高吸収性ポリマーによって香料成分が吸収される場合がある。この理由は、高吸収性ポリマーには、その主鎖構造や置換基が、香料成分と親和性の高いことが多く、香料成分を吸収しやすいからである。更に香料の種類によっては、高吸収性ポリマー中の置換基が香料成分に覆われて、該ポリマーの吸収性能を低下させる可能性もある。
しかも、吸収性物品には、体液から生じる臭気を吸着・吸収するための消臭剤が含まれていることがあり、香料の種類によっては、該消臭剤の消臭性能が低下する可能性もある。その上、吸収性物品自体が賦香されていると、該物品の着用中に香りが衣服の外にまで放出されて、吸収性物品を着用していることが他人に気付かれやすい。
【０００６】
したがって本発明の目的は、前述した従来技術が有する種々の欠点を解消し得る吸収性物品の包装シート及び吸収性物品の個装体を提供することにある。
【課題を解決するための手段】
【０００７】
本発明は、粘着部を有する吸収性物品と、該粘着部を被覆する剥離シートと、該粘着部が該剥離シートに被覆された状態の該吸収性物品を包装している包装シートとを有する吸収性物品の個装体であって、前記剥離シートが賦香されていることを特徴とする吸収性物品の個装体を提供することにより前記目的を達成したものである。
【０００８】
また本発明は、粘着部を有する吸収性物品と、該粘着部を被覆する剥離シートと、該粘着部が該剥離シートに被覆された状態の該吸収性物品を包装している包装シートとを有する吸収性物品の個装体における該剥離シートに香料を塗布し、賦香剥離シートを製造する方法であって、
互いに反対方向に回転する一対のロールにおける一方のロールの周面に、該ロールの円周方向に沿う線状となるように香料を付着させた状態下に、ロール間に前記剥離シートを通過させ、該ロールの周面に線状に付着した香料を、該剥離シートに転写させる賦香剥離シートの製造方法を提供するものである。
【０００９】
更に本発明は、粘着部を有する吸収性物品と、該粘着部を被覆する剥離シートと、該粘着部が該剥離シートに被覆された状態の該吸収性物品を包装している包装シートとを有する吸収性物品の個装体における該剥離シートに香料を塗布し、賦香剥離シートを製造する装置であって、
互いに反対方向に回転可能な一対のロールと、一対の該ロールのうちの一方のロールに接触して又は近接して配置された吐出部とを備え、該吐出部は、一方の該ロールの周面へ香料を連続的に吐出することが可能になっている賦香剥離シート製造装置を提供するものである。
【発明の効果】
【００１０】
使用後の吸収性物品は、該物品を剥離シートや包装シートに包んで廃棄したり、密閉可能な容器に一括して廃棄することが一般的なので、該剥離シートを賦香することで、使用後の吸収性物品から生じる臭気を該剥離シートでマスキングできる。また、包装シートが通気性材料より形成されている場合には、個装体を開封する前から香気が放出されるので、吸収性物品の使用前から着用者にリラックス感を付与できる。また、剥離シートが賦香されており、吸収性物品自体を賦香することを要しないので、該物品に高吸収性ポリマーや消臭剤が含まれている場合には、それらの性能低下が防止される。更に、吸収性物品自体からは香気は移り香程度の弱い香りしか放出されないので、該物品を着用していることを他人に気付かれにくい。
【発明を実施するための最良の形態】
【００１１】
以下本発明を、その好ましい実施形態に基づき図面を参照しながら説明する。図１には、本発明の一実施形態の斜視図が示されている。図１に示す実施形態は、剥離シート４０と包装シート１０がホットメルト粘着剤によって一体化され、パンティライナ２０が個装（個別包装）されてなる個装体３０に係るものである。
【００１２】
パンティライナ２０は、図４に示すように、縦長の形状を有しており、着用時にショーツ側に向けられる片面（非肌当接面）に、該ショーツに固定するための粘着部２１を有している。剥離シート４０は、パンティライナ２０と平面視同形の外形を有し、パンティライナ２０の非肌当接面側に積層されて粘着部２１を被覆している。パンティライナ２０と剥離シート４０は、粘着部２１を介して分離可能に一体化されている。
個装体３０は、粘着部２１が剥離シート４０に被覆された状態のパンティライナ２０が、縦長矩形状の包装シート１０上に、該剥離シート４０を包装シート１０側に向けて載置されており、これらが一体的に、パンティライナ２０が内側となるようにして、包装シート１０の幅方向に延びる折り曲げ線に沿って三つ折りに折り畳まれた構造を有している。剥離シート４０は、通常、その外側にある包装シート１０と、粘着剤又は接着剤を介して接合されている。
そして、包装シート１０の左右両側縁のシール部３１がシールされることで個装状態が保たれている。包装シート１０の一方の端部１０ａは、個装体３０の開封部３２になっている。開封部３２には、該端部１０ａを跨ぐようにテープタブ３３が剥離可能に貼着されている。開封部３２においては、包装シートの端部１０ａに沿って粘着剤３４が線状に塗工されている。そして、粘着剤３４によって、開封部３２において対向する包装シート１０どうしが接合している。
【００１３】
パンティライナ２０は、従来公知のナプキンと同様の構造をしたものである。パンティライナ２０は、着用者の肌に近い側に位置する表面シート、及び遠い側に位置する裏面シートを備えている。両シート間には、液保持性の吸収体が介在配置されていても良い。表面シートとしては、各種不織布や開孔フィルムなどの液透過性を有するシート材が用いられる。裏面シートとしては、撥水性ないし液不透過性のシート材が用いられる。裏面シートとして用いられるシート材としては、例えば液を透過させない合成樹脂のフィルム、撥水性を有する不織布、これらの複合材などが挙げられる。裏面シートは水蒸気透過性を有していてもよい。吸収体としては、例えばフラッフパルプと高吸収性ポリマーとを含む積繊体、吸収紙中に高吸収性ポリマーが保持固定されているポリマーシートなどが用いられる。吸収体中には各種消臭剤が含まれていてもよい。パンティライナ２０における裏面シートの外面には、粘着剤が塗工され、パンティライナ２０を下着に固定するための前記粘着部２１が形成されている。
【００１４】
包装シート１０は各種シート材からなり、内面及び外面を有する。包装シート１０の内面には剥離シート４０があり、パンティライナ２０が載置される面である。包装シート１０の外面は、包装シート１０によってパンティライナ２０が個装されて個装体３０となされたときに、該個装体３０の外面をなす面である。
【００１５】
剥離シート４０は賦香されている。これに対してパンティライナ２０は賦香されていることを要しない。パンティライナ２０は、持ち運び時と実使用時に異なる香りを付与し、マスキング効果を高める観点からは、賦香されていてもよいが、包装シート１０の内面にある剥離シート４０を賦香させることの効果を際立たせる観点からは、パンティライナ２０は賦香されていないことが好ましい。
【００１６】
またパンティライナ２０は、表面シートと裏面シートとからなるが、それを構成する各種不織布や開孔フィルムなどの液透過性を有するシート材に賦香した場合、その香気の保持性は低く不充分であるか、その香料成分によって表面シートと裏面シートの結合力を弱める懸念があり、パンティライナ２０に賦香されていることを要しない。また裏面シートが通気性材料からなる場合、香料成分が裏面シートの外面にパンティライナ２０を下着に固定するために施された粘着剤の接着力を低下させてしまうことも懸念される。
【００１７】
剥離シート４０の賦香に用いる香料成分に特に制限はなく、従来公知の香料成分を特に制限なく用いることができるが、香料成分を吸収させた粒状物や粉状物よりは、紙のような繊維物に含浸させやすい点では液状物が好ましい。
【００１８】
香料成分としては、当該技術分野において従来用いられてきたものと同様のものをも用いることができる、香料成分は、沸点が約２５０℃以下の高揮発性のもの、又は沸点が約２５０〜約３００℃の中揮発性のものが好ましく用いられる。高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、ｌ−カルボン、ゲラニアール、ゲラニオール、酢酸ゲラニル、ゲラニルニトリル、ネロール、酢酸ネリル、酢酸ノニル、リナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられる。中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、エチルバニリン、オイゲノール、イソオイゲノール、γ−メチルヨノン、ヘリオトロピン、サリチル酸ヘキシル、サリチル酸シス−３−ヘキセニル、フェニルヘキサノール、バニリン、ペンタライド等が挙げられる。
【００１９】
上述の香料成分の他に、グリーンハーバル様香気を有する香料を含有した香料組成物を用いることもできる。ここでいう香料とは、後述するＡ群やＢ群に代表されるような単体の香料素材を指す。また、香料組成物とは、これら単体の香料素材、又は天然精油や調合ベースのように複数の香料によって構成される香料素材によって組み合わされたもので、溶剤によって希釈、調整されたものを含む。グリーンハーバル様香気を有する香料を含有する香料組成物を用いることで、該香料から生じるグリーンハーバル様香気の作用によって、月経随伴性症状の中でも特に精神的な不快症状を、身体に物理的刺激を与えること無く、また経口投与にもよらず、安全かつ簡便に緩和させることが可能になる。これに加え、快適感も得られる。
【００２０】
グリーンハーバル様香気は、グリーン様香気（グリーンノート）又はハーバル様香気（ハーバルノート）を含む香調である。グリーン様香気とは、草や若葉のすがすがしい香調をいう。ハーバル様香気（ハーバルノート）とは、ハーブを用いた自然で、薬草的な香り立ちが特徴の香調をいう。
【００２１】
グリーンハーバル様の香料組成物は、シス−３−ヘキセノール、ギ酸シス−３−ヘキセニル、酢酸シス−３−ヘキセニル、プロピオン酸シス−３−ヘキセニル、酪酸シス−３−ヘキセニル、トランス−２−ヘキセナール、酢酸トランス−２−ヘキセニル、酢酸ヘキシル、酢酸スチラリル、２−メチル−３−（３，４−メチレンジオキシフェニル）−プロパナール（ＩＦＦ社名、ヘリオナール）、３（４）−（５−エチルビシクロ［２，２，１］ヘプチル−２）−シクロヘキサノール、２−ペンチロキシグリコール酸アリル（ＩＦＦ社名、アリルアミルグリコレート）、４−メチル−３−デセン−５−オール（Ｇｉｖａｕｄａｎ社名、ウンデカベルトール）、ヘキシルアルデヒド、２，４−ジメチル−３−シクロヘキセニルカルボキシアルデヒド（ＩＦＦ社名、トリプラール）及びフェニルアセトアルデヒドからなる群（以下、この群をＡ群という）より選択される１種又は２種以上の香料を含有することが好ましい。これらの香料として市販品を用いることもできる。例えば前記の３（４）−（５−エチルビシクロ［２，２，１］ヘプチル−２）−シクロヘキサノールを主成分とする混合物からなる香料は、花王株式会社からマグノールの商品名で市販されている。Ａ群に含まれる香料は、主としてグリーン様香気を生ずるものである。
【００２２】
グリーンハーバル様の香料組成物は、前記のＡ群の香料に加えて、更に、ｌ−メントール、１，８−シネオール、サリチル酸メチル、シトロネラール、カンファー、ボルネオール、酢酸イソボルニル、酢酸ターピニル、オイゲノール、アネトール、４−メトキシベンジルアルコール及びエストラゴールからなる群（以下、この群をＢ群という）より選択される１種又は２種以上の香料を含有することが好ましい。Ｂ群に含まれる香料は、主としてハーバル様香気を生ずるものである。
【００２３】
Ａ群の香料は、香料組成物中に０．５〜３０重量％、特に１〜２０重量％含有されることが好ましい。Ｂ群の香料は、香料組成物中に、１〜３０重量％、特に５〜２０重量％含有されることが好ましい。
【００２４】
前記のＡ群及びＢ群の香料は、例えば適当な溶剤と調整されて香料組成物となされる。溶剤としては、例えばグリセリン、プロピレングリコール、ジプロピレングリコール、ミリスチン酸イソプロピル、クエン酸トリエチル、１，３−ブチレングリコール、ポリエチレングリコール、エタノールなどが用いられる。
【００２５】
香料組成物の量は、心理的にポジティブな効果が充分に得られる量であればよく、パンティライナ２０の大きさに応じて、パンティライナ１個当り、好ましくは０．３〜１００ｍｇ、更に好ましくは０．３〜２０ｍｇ、一層好ましくは０．３〜５ｍｇの範囲から適宜選択すればよい。含有させる香料組成物の量をかかる範囲内とすることによって、香料組成物自体の匂いや使用感が過度になることなく、不快感の緩和効果を充分なものとすることができる。
【００２６】
一般に、使用後のパンティライナ２０は、新たに使用するパンティライナ２０を包装している包装シート１０及び包装シート１０の内面にある剥離シート４０に包んで廃棄される。したがって、包装シート１０の内面にある剥離シート４０が賦香されていることで、使用後のパンティライナ２０から生ずる臭気が、賦香された包装シートによってマスキングされる。その結果、臭気に起因する不快感を伴わずに使用後のパンティライナ２０を廃棄することができる。
【００２７】
パンティライナ２０ではなく、それを個装する包装シート１０の内面にある剥離シート４０の外面が賦香されていることで、剥離シートの剥離層が香料成分の浸透を防止し、ナプキンに含まれている高吸収性ポリマーや消臭剤の性能が、香料成分によって損なわれることがないという利点もある。特に、パンティライナ２０を包装した状態において外面となるべき面が賦香されていることで、香料成分とパンティライナ２０との接触を断つことができるので、高吸収性ポリマーや消臭剤の性能低下を一層効果的に防止できる。
【００２８】
香気成分とパンティライナ２０との接触が断たれていることで、パンティライナ２０自体からは移り香程度の弱い香りしか放出されない。したがってパンティライナ２０の着用者は、パンティライナ２０を着用していることを他人に気付かれにくいという付加的な利点もある。
【００２９】
剥離シート４０は、粘着部２１を被覆する面とは反対側の面側が賦香されていることが好ましい。即ち、包装シート１０の内面にある剥離シート４０の外面、つまり、非剥離シート面側に行われることが好ましい。図２（ａ）ないし（ｃ）には、剥離シート４０の外面を賦香した具体例が示されている。
図２（ａ）に示す剥離シート４０は、合成樹脂製のフィルム１１と、該フィルムの一面に積層された繊維層１２との積層体から構成されている。フィルム１１の表面は剥離処理されている。剥離シート４０においては、繊維層１２側の面が、パンティライナ２０を包装した状態において外面となるべき面である。そして、この繊維層１２が賦香されている。例えば、繊維層１２に香料成分を含む液を含浸させることで賦香することができる。
【００３０】
繊維層１２としては、紙、不織布などを用いることができる。また、フィルム１１の一面上に、繊維を静電植毛して繊維層１２を形成することもできる。製造のしやすさ、風合い、経済性等を考慮すると、繊維層１２は紙から構成され、ラミネート処理後、剥離層形成や直接剥離層を形成することが好ましい。繊維層１２が紙から構成される場合には、上質紙を用いることが、繊維層１２に印刷を行うときの仕上がりが良好になり、また香料成分を首尾良く繊維層１２に施すことができる点から好ましい。繊維層１２が紙から形成された剥離シートである場合には、一般に印刷等のインクが滲まないようにサイズ剤による処理がなされていることが多く、このサイズ剤による処理によって、香料成分が繊維層を拡散することが抑制されている。
【００３１】
前記のサイズ剤としては、例えばポリビニルアセテート、ポリエチレン等の合成樹脂を用いることができる。サイズ剤の使用量は、サイズ剤が施される前の繊維層１２の重量に対して０．０１〜３重量％、特に０．０５〜１重量％であることが、印刷のためのインクの滲み及び香料成分の拡散を防止しつつ、繊維層１２に首尾良く印刷を行うことができ且つ香料成分を施すことができる点から好ましい。
【００３２】
図２（ｂ）に示す剥離シート４０は、フィルム１１と繊維層１２とをラミネート処理した後に剥離処理されている。繊維層１２の一面若しくはその一部には、個装体３０の商品名を表示する目的で、或いは個装体３０の商品価値を高める目的で、文字、図形、記号、模様からなる印刷１３が施されている。剥離シート４０においては、印刷面が、パンティライナ２０を包装した状態において外面となるべき面である。
【００３３】
図２（ｃ）に示す剥離シート４０は多層構造になっている。剥離シート４０は、合成樹脂製の外層１４、及び外層１４の合成樹脂と異なる種類の合成樹脂製の内層１５を有している。内層１５の内面には、剥離層１６が形成されている。そして、剥離シート４０の外面をなす外層１４の合成樹脂中に香料成分が練り込まれている。内層１５は、外層１４の合成樹脂中に練り込まれている香料成分が、剥離シート４０の内側に向かってブリードアウトすることを阻止するための遮断層としての働きを有する。剥離層１６は、パンティライナ２０の裏面シート外面に施されている粘着剤を、剥離シート４０から剥離可能にする働きを有する。図２（ｃ）に示す剥離シート４０によれば、外層１４の合成樹脂中に練り込まれている香料成分によって外部へ香気が放出される。また、内層１５が香料成分の遮断層として働くので、パンティライナ２０には香気が移らない。
【００３４】
図２（ａ）ないし（ｃ）に示す剥離シート４０においては、香料成分をマイクロカプセルに封入しておくことで、個装体３０を手に持ったとき、或いは個装体３０を開封したときに初めて香気が放出されるようにすることができる。その結果、必要最小限の香料成分の使用量で効果的な賦香ができる。例えば、図２（ａ）に示す剥離シート４０においては、同図の繊維層１２の拡大図である図３に示すように、繊維層１２中に、香料成分を封入したマイクロカプセル１７を担持させておく。個装体３０を包装パックから取り出したときや、個装体３０を開封するときに、個装体３０を把持する手の力や、包装パックとの摩擦力等に起因して、マイクロカプセル１７に外力が加わり、これが破れる。その結果、マイクロカプセル１７内に封入されていた香料成分がはじめて外部へ放出される。図２（ｂ）及び（ｃ）についても同様である。図２（ｂ）においては印刷用のインク中に、香料成分を封入したマイクロカプセルを配合しておけばよい。図２（ｃ）においては、合成樹脂中に、香料成分を封入したマイクロカプセルを練り込んでおけばよい。
【００３５】
剥離シートとしては、紙、不織布、織布、編地、フィルム又はこれらの積層体などを基材シートとして、これに公知の剥離処理を施してなるもの等を用いることができる。
包装シートの材料としては、紙、不織布、織布、編地、フィルム又はこれらの積層体などを用いることができる。
【００３６】
香料中にはオイル成分が含まれていることが多い。したがって、図１に示す個装体３０において、剥離シート４０の全域にわたり賦香すると、香料中に含まれているオイル成分に起因して、包装シートとの一体化に使用される粘着剤（ホットメルト粘着剤等）や接着剤等の粘着物性等に影響を与え、包装シートと剥離シートの固定ができない場合や、粘着剤が包装シートの表面に露出して、個装体同士が結合する場合がある。そこで、包装シートと剥離シートの固定を確実にするために、固定部は賦香しないことが好ましい。
【００３７】
前述のように固定部４１を賦香しない形態としては、固定部に相当する位置を除いて賦香する方法、具体的には筋状に賦香することが好ましい。
図４に示す例においては、剥離シート４０と包装シート１０とが、パンティライナ２０の長手方向に離間した複数個所において、接着剤等により部分的に接合されており、該剥離シート４０における、包装シート１０と接合されていない部位４２，４２が賦香されている
更に、繊維層１２として紙を用いた剥離シートの場合、前述したサイズ剤によってオイル成分がシート中を拡散することを防止できるという効果を得ることができる。それによって、オイル成分に起因するホットメルト粘着剤等の粘着剤の粘着物性の低下という不都合を回避できる。サイズ処理等がなされていない剥離シートを用いる場合には、エンボス加工を施すことができる。その結果、エンボス加工された部分が、オイル成分の移行を妨げる障壁部分となり、オイル成分がシール部３１へ到達しづらくなる。
【００３８】
図４に示すように剥離シート４０を筋状に賦香する方法としては、例えば図５に示す塗布装置を用いた方法が挙げられる。図５に示す塗布装置１０は、互いに接するように鉛直方向に沿って配置された一対の平滑ロール１１，１２を備えている。ロール１１，１２の間には、剥離シート４０の原反４０ａが挿入される。原反４０ａは、図５中、右から左へ搬送される。ロール１１，１２は、例えば金属製やゴム製のものである。ロール１１，１２の素材は同じでも良く、或いは異なっていてもよい。またロール１１，１２の直径は同じでも良く、或いは異なっていてもよい。ロール１１，１２は、図５中、矢印で示す方向、即ち互いに反対方向に回転可能になっている。２つのロール１１，１２のうち、上側に位置するロール１１の上方には、香料の吐出部１３が複数個配置されている。吐出部１３は、ロール１１の軸線に沿って等間隔で配置されている。また吐出部１３は、ロール１１の中心軸上に位置している。吐出部１３は、ポンプ（図示せず）を介して香料の貯蔵槽（図示せず）に接続している。吐出部１３は、少量の香料を連続的に吐出可能な構造になっている。この目的のために、吐出部１３は注射器の形状をしている。吐出部１３の吐出口１３ａは、ロール１１の表面に接触しているか、又は近接している。剥離シート４０の原反４０ａの搬送方向に関して、ロール１１，１２よりも下流の位置には、スリッター１４が配置されている。スリッター１４は、円形のカッターから構成される。原反４０ａはその幅方向にわたり、スリッター１４によって、所定間隔で裁断される。
【００３９】
図５に示す塗布装置を用いた香料の塗布方法は以下のとおりである。吐出部１３の吐出口１３ａから吐出された香料は、接触した状態下に互いに反対方向に回転するロール１１，１２のうち、ロール１１の周面に付着する。ロール１１は、図５中、矢印で示す方向に回転しているので、ロール１１の周面に付着した香料が描く軌跡１５は、ロール１１の円周方向に沿った線状のものとなる。この軌跡１５が、ロール１１の軸方向にわたって複数形成される。その結果、ロール１１の周面には、その円周方向に沿って香料が筋状に付着する。
【００４０】
筋状に付着した香料は、ロール１１，１２間を通過する剥離シート４０の原反４０ａに転写される。その結果、原反４０ａにはその搬送方向に沿って、香料が複数本の筋状に塗布される。塗布された香料の幅は、最も細い場合で１ｍｍ程度にすることが可能である。その後、原反４０ａはロール１１，１２間を通過し、スリッター１４によって、幅方向にわたり所定間隔で裁断される。その結果、原反４０ａは細幅の長尺帯状体４０ｂとなる。この長尺帯状体４０ｂをその幅方向にわたって所定間隔で更に裁断することで、矩形の剥離シート４０が得られる。
【００４１】
以上の方法によれば、吐出部１３から吐出される香料の量に、不可避的な変動が生じても、ロール１１の周面に筋状に付着した香料の量が、ロール１１が回転する間に均一化される。したがって香料は、剥離シート４０の原反４０ａに均一な量で転写される。例えば、香料を吐出するために用いるポンプ（図示せず）の脈動に起因して、吐出部１３から吐出される香料の量が図６（ａ）に示す経時変化を起こしたとしても、ロール１１が回転する間にロール１１の周面における香料の付着量が均一化されて、原反４０ａに転写されるときには、図６（ｂ）に示す均一化された状態となる。したがって塗布された部位は、その長さ方向にわたって塗布幅が均一となる。以上の説明から明らかなように、本方法は、少量の香料を細幅で塗布する場合や、ファインピッチで塗布する場合に特に有効である。また本方法は、上述したサイズ剤との併用により一層効果の高いものとなる。
【００４２】
なお図５に示す塗布装置１０においては、一対のロール１１，１２は鉛直方向に沿って配置されているが、これに代えてロール１１，１２を水平方向に沿って並置してもよい。また、塗布装置１０においては、吐出部１３を複数配置したが、これに代えて多数の吐出口が列をなすように配置されている単一の吐出部を用いて香料を吐出させてもよい。
【００４３】
以上、本発明をその好ましい実施形態に基づき説明したが、本発明は前記実施形態に制限されず、種々の変更が可能である。例えば、包装シート１０と剥離シート４０を一体化せず剥離シート４０に賦香する時には、剥離シート４０の非剥離面の全面に塗工することも可能である。また、包装シートを用いずに、賦香した剥離シート及び吸収性物品のみ、もしくは剥離シートに賦香した吸収性物品を複数枚包装した包装形態で使用しても良い。
【００４４】
また、前記の各実施形態の剥離シート４０においては、主として、パンティライナ２０を包装した状態において外面となるべき面が賦香されている場合について説明したが、個装体３０内において、香料成分がパンティライナ２０に過度に移行しない場合には、剥離シート４０の内面、即ちパンティライナ２０との対向面を賦香してもよい。
【００４５】
また前記実施形態では、包装シート１０の内面には剥離シート４０があり、その内側に個装される吸収性物品としてパンティライナ２０が用いられたが、本発明は他の吸収性物品、例えば生理用ナプキンや失禁パッド等にも適用される。
【図面の簡単な説明】
【００４６】
【図１】図１は、本発明の個装体の一実施形態を示す斜視図である。
【図２】図２は、剥離シートの構造を模式的に示す断面図である。
【図３】図３は、図２（ａ）に示す剥離シートの繊維層の要部を拡大して示す模式図である。
【図４】図４（ａ）は個装体を展開した平面図であり、図４（ｂ）は図４（ａ）のＩ−Ｉ線断面を厚み方向に拡大して示す模式断面図である。
【図５】図５は、剥離シートを賦香させるために用いられる香料の塗布装置を示す模式図である。
【図６】図６（ａ）は、図５に示す塗布装置における吐出部から吐出された直後の香料の量の経時変化を示す図である、図６（ｂ）は剥離シートに転写される直前での香料の量の経時変化を示す図である。
【符号の説明】
【００４７】
１０  包装シート
２０  パンティライナ（吸収性物品）
２１  粘着部
３０  個装体
３１  シール部
３２  開封部
３３  テープタブ
３４  粘着剤
４０  剥離シート
４１  個装シートと剥離シートとの接合部
４２  賦香箇所（香料の塗工箇所）
【図１】
2007252886.tif 000003
【図２】
2007252886.tif 000004
【図３】
2007252886.tif 000005
【図４】
2007252886.tif 000006
【図５】
2007252886.tif 000007
【図６】
2007252886.tif 000008